(57)【要約】【課題】ターンテーブルの両面のごみを一度に確実にクリーニングすることができるとともに、ターンテーブルの変形や破損を生じるおそれが無いターンテーブルクリーナを備える光情報記録再生装置を提供する。【解決手段】ターンテーブルに載置された薄型フレキシブル光ディスクをスピンドルに固定して回転させ、レーザ光を前記ターンテーブル越しに前記薄型フレキシブル光ディスクに照射して情報を記録再生する光情報記録再生装置であって、ターンテーブルクリーナ（１）をさらに備え、前記ターンテーブルクリーナ（１）は、互いに向かい合うように所定の間隔で平行に配置された２個のクリーニング面（３）を備え、前記クリーニング面（３）は、通常位置と、回転する前記ターンテーブルの表面および裏面の所定の領域をクリーニングするクリーニング位置との間で移動可能である。【選択図】図１
2008123593.tif 000002
【特許請求の範囲】
【請求項１】
ターンテーブルに載置された薄型フレキシブル光ディスクをスピンドルに固定して回転させ、レーザ光を前記ターンテーブル越しに前記薄型フレキシブル光ディスクに照射して情報を記録再生する光情報記録再生装置であって、
ターンテーブルクリーナをさらに備え、
前記ターンテーブルクリーナは、互いに向かい合うように所定の間隔で平行に配置された２個のクリーニング面を備え、
前記クリーニング面は、通常位置と、回転する前記ターンテーブルの表面および裏面の所定の領域をクリーニングするクリーニング位置との間で移動可能であることを特徴とする、光情報記録再生装置。
【請求項２】
前記ターンテーブルの少なくとも一部はガラスから成ることを特徴とする請求項１記載の光情報記録再生装置。
【請求項３】
前記２個のクリーニング面は、これらの間にある前記ターンテーブルの両面に接触することを特徴とする請求項１又は２に記載の光情報記録再生装置。
【請求項４】
前記クリーニング面は不織布からなることを特徴とする請求項１乃至３のいずれか１項に記載の光情報記録再生装置。
【請求項５】
該ターンテーブルクリーナは、該光情報記録再生装置に前記ターンテーブルの表面と垂直な回動軸によって取り付けられ、回動によって移動可能であることを特徴とする請求項１乃至４のいずれか１項に記載の光情報記録再生装置。
【請求項６】
前記ターンテーブルクリーナは手動で移動可能であることを特徴とする請求項１乃至５のいずれか１項に記載の光情報記録再生装置。
【請求項７】
該ターンテーブルクリーナを通常位置およびクリーニング位置において各々移動を規制する機構を備えることを特徴とする請求項６に記載の光情報記録再生装置。
【請求項８】
前記ターンテーブルクリーナに前記ターンテーブルクリーナを移動させるレバーを設けたことを特徴とする請求項６又は７に記載の光情報記録再生装置。
【請求項９】
前記ターンテーブルクリーナは自動で移動可能であることを特徴とする請求項１乃至５記載の光情報記録再生装置。
【請求項１０】
薄型フレキシブル光ディスクが前記ターンテーブルに載置されていないことを検知する手段と、クリーニングするごとに経過時間を計測するタイマとを備え、薄型フレキシブル光ディスクが前記ターンテーブルに載置されておらず、前回のクリーニングから所定の時間が経過した場合、前記ターンテーブルクリーナは自動的に前記ターンテーブルのクリーニングを行うように設定可能であることを特徴とする請求項９記載の光情報記録再生装置。
【請求項１１】
クリーニングするごとに経過時間を計測するタイマと、前回のクリーニングから所定の時間経過すると警告を行う手段とを備えることを特徴とする請求項１乃至１０のいずれか１項に記載の光情報記録再生装置。
【発明の詳細な説明】
【技術分野】
【０００１】
本発明は、ターンテーブルに載置された薄型フレキシブル光ディスクをスピンドルに固定して回転させ、レーザ光を前記ターンテーブル越しに前記薄型フレキシブル光ディスクに照射して情報を記録再生する光情報記録再生装置に関し、特に、このような光情報記録再生装置においてターンテーブルをクリーニングする手段に関する。
【背景技術】
【０００２】
近年、光ディスクの高記録容量化を図る様々な試みがなされており、中でも効率的な方法として、光ディスク基板の厚みを薄くして体積あたりの記録容量を増やすことが注目されている。このような薄型フレキシブル光ディスクを確実かつ安定して記録再生する光情報記録再生システムを実現するために、特許文献１に記載のような、光情報記録再生装置において薄型フレキシブル光ディスクをターンテーブルで保持する方法が考えられている。
【０００３】
さらに、ターンテーブルを、レーザ光線を透過するガラスなどの透明基板によって形成し、薄型フレキシブル光ディスクにターンテーブル越しに読み書きする技術も提案されている。このような技術では、ターンテーブルの内周側に貫通孔を設け、回転時にターンテーブルと薄型フレキシブル光ディスクとの間に空気を流すことによりディスクのばたつきを抑えることも提案されている。
【０００４】
【特許文献１】特開平１０−３０８０５９号公報
【発明の開示】
【発明が解決しようとする課題】
【０００５】
このような薄型フレキシブル光ディスク用のターンテーブルは、光記録再生装置内に配置されているが、使用しているうちにごみがなどが付着してしまうおそれがある。薄型フレキシブル光ディスクを面ぶれなく安定に回転させるためには、ターンテーブルの表面にごみなどの付着物がないことが望まれる。特に、ターンテーブル越しに薄型フレキシブル光ディスクに記録再生する透明ターンテーブルの場合、ターンテーブル表面にごみなどが付着していると、記録再生に失敗するおそれがある。このため、ターンテーブル表面を定期的にクリーニングすることが必要である。
【０００６】
このようなターンテーブルをクリーニングするには、ターンテーブルの片側表面にクリーナを押し付けてクリーニングする方法が一般的である。
【０００７】
しかしながら、このような従来のクリーニング方法では、ターンテーブルの剛性が低い部分では、ターンテーブルの変形や破損のおそれがある。
【０００８】
特に、上述したようなガラス製のターンテーブルは、例えば厚さ５００μｍと薄型であるため破損しやすく、特に内周側に貫通孔を有するターンテーブルにおいては貫通孔を設けた部分の剛性が低く、より破損しやすいため、このような問題は重大である。
【０００９】
さらに、透明ターンテーブルの場合、両面をクリーニングする必要があり、片面ずつクリーニングするのは手間と時間がかかってしまうという問題もあった。
【００１０】
本発明は、このような実情に鑑みてなされたものであり、ターンテーブルの両面のごみを一度に確実にクリーニングすることができるとともに、ターンテーブルの変形や破損を生じるおそれが無いターンテーブルクリーナを備える光情報記録再生装置を提供しようとするものである。
【課題を解決するための手段】
【００１１】
上記解決課題に鑑みて鋭意研究の結果、本発明者は、ターンテーブルをクリーニング部のクリーニング面で表裏から挟み込み、ターンテーブルの表裏面に均等に力を加え、その状態でクリーナを固定し、ターンテーブルを回転させることでターンテーブル表面をクリーニングするターンテーブルクリーナに想到した。
【００１２】
すなわち、本発明の光情報記録再生装置は、ターンテーブルに載置された薄型フレキシブル光ディスクをスピンドルに固定して回転させ、レーザ光を前記ターンテーブル越しに前記薄型フレキシブル光ディスクに照射して情報を記録再生する光情報記録再生装置であって、ターンテーブルクリーナをさらに備え、前記ターンテーブルクリーナは、互いに向かい合うように所定の間隔で平行に配置された２個のクリーニング面を備え、前記クリーニング面は、通常位置と、回転する前記ターンテーブルの表面および裏面の所定の領域をクリーニングするクリーニング位置との間で移動可能であることを特徴とする。
【００１３】
前記ターンテーブルの少なくとも一部はガラスから成っていてもよい。
好適には、前記２個のクリーニング面は、これらの間にある前記ターンテーブルの両面に接触するようにする。
前記クリーニング面は不織布が好適である。
【００１４】
該ターンテーブルクリーナは、該光情報記録再生装置に前記ターンテーブルの表面と垂直な回動軸によって取り付けられ、回動によって移動可能とすることが好適である。
【００１５】
前記ターンテーブルクリーナは手動で移動可能であってもよい。
手動で移動可能とする場合、該ターンテーブルクリーナを通常位置およびクリーニング位置において各々移動を規制する機構を備えるのが好適である。
手動で移動可能とする場合、前記ターンテーブルクリーナに前記ターンテーブルクリーナを移動させるレバーを設けるのが好適である。
【００１６】
前記ターンテーブルクリーナは自動で移動可能であってもよい。
自動で移動可能とする場合、薄型フレキシブル光ディスクが前記ターンテーブルに載置されていないことを検知する手段と、クリーニングするごとに経過時間を計測するタイマとを備え、薄型フレキシブル光ディスクが前記ターンテーブルに載置されておらず、前回のクリーニングから所定の時間が経過した場合、前記ターンテーブルクリーナは自動的に前記ターンテーブルのクリーニングを行うように設定可能としてもよい。
前回のクリーニングから所定の時間経過すると警告を行う手段を備えてもよい。
【００１７】
さらなる本発明の特徴は、以下本発明を実施するための最良の形態および添付図面によって明らかになるものである。
【発明の効果】
【００１８】
本発明によれば、ターンテーブルの両面のごみを一度に確実にクリーニングすることができるとともに、ターンテーブルの変形や破損を生じるおそれが無いターンテーブルクリーナを備える光情報記録再生装置が実現される。
【発明を実施するための最良の形態】
【００１９】
以下に、添付図面を参照して、本発明による実施形態について説明する。なお、本発明は、実施形態に限定されるものではなく、本発明の本質的な範囲を逸脱しない限り、構成の変形・追加・代用が可能であることはもちろんである。
【００２０】
図１は、本発明の光情報記録再生装置が備えるターンテーブルクリーナの構成の一例を示す側面図である。本発明のターンテーブルクリーナは、代表的には薄型フレキシブル光ディスク用の透明ターンテーブルをクリーニングするものである。ターンテーブル４は、例えば厚さ５００μｍのソーダガラス板製で、外径が１２５ｍｍで、直径１５．０ｍｍの中心孔を設け、中心孔を取り囲むように内周側に直径６ｍｍの貫通孔を８個設けたものである。ターンテーブル４は、スピンドル５にクランパ６によって固定されている。
【００２１】
ターンテーブルクリーナ１は、平行に配置された部分を有するコの字型断面の部材２を備え、平行に配置された部分の互いに向かい合う面にクリーニング面３が貼り付けられている。クリーニング面３は、クリーニング時にターンテーブル４を回転させると、ターンテーブル４に載置する薄型フレキシブル光ディスクの記録面に対応するターンテーブル４の領域がすべてクリーニングされるようなサイズにする必要がある。具体的には、ターンテーブルの外周縁から貫通孔まで、ある程度の幅をもって覆うようなサイズである。
【００２２】
コの字型断面部材２は、クリーニング面が設けられた部分の間隔が変わらないようにある程度の剛性を持たせる必要があり、例えば、アルミニウムやステンレス等の剛性の高い材質で形成される。クリーニング面３は、ターンテーブルに傷がつかないようにやわらかい材質にする必要があり、例えば、不織布やクリーニングクロスによって形成される。コの字型断面部材２の平行に配置された部分の間隔は、ターンテーブルの厚さよりわずかに大きくする。ターンテーブルに嵌めた際、やわらかい材質のクリーニング面３がわずかに押しつぶされ、ターンテーブルの表面および裏面に均等に力が加わるような間隔にすることが望ましいが、ターンテーブルの回転を妨げない程度の力にする必要がある。
【００２３】
ターンテーブルクリーナ１がターンテーブル４をクリーニングする際には、ターンテーブル４を２つのクリーニング面３が両側から挟みこむようにターンテーブルクリーナ１を移動し、その状態でターンテーブル４を回転させることによってクリーニングを行う。
【００２４】
図２は、本発明のターンテーブルクリーナを備える記録再生装置の内部構造の一部を示す斜視図である。図１と同様の要素は、同じ参照符によって示す。
【００２５】
薄型フレキシブル光ディスクはカートリッジ７に収納されて光情報記録再生装置にセットされ、記録再生時にはカートリッジ７から取り出され、ターンテーブル４上に載置され、ターンテーブル４と共にクランパ６でスピンドル５にクランプされる。薄型フレキシブル光ディスクはターンテーブル４と共に回転し、光ピックアップ８からターンテーブル４越しに照射されるレーザ光によってデータが記録再生される。
【００２６】
なお、その他の構成（例えば、薄型フレキシブル光ディスクのローディング機構、レーザ駆動回路、記録／再生データを処理する記録・再生制御回路等）は従来のものと同様なので説明を省略する。
【００２７】
ターンテーブルクリーナ１は、コの字型断面部材２の開放されていない側にクリーニング面３とターンテーブル４の表面に対して垂直に設けられた回動軸９によって光情報記録再生装置に取り付けられる。
【００２８】
ターンテーブルクリーナ１は、通常は、図２（ａ）に示すような、ターンテーブル４への薄型フレキシブル光ディスクのローディング、記録再生、取り出しの邪魔にならないような通常位置にある。
【００２９】
ターンテーブル４をクリーニングする際、ターンテーブルクリーナ１は、手動又は自動で、図２（ｂ）に示すような、２つのクリーニング面３がターンテーブル４を挟み込むようなクリーニング位置に移動される。この際、ターンテーブル４の破損を防ぐため、ターンテーブル４が２つのクリーニング面３の間にがたつきなく正確に平行に入っていくようにすることが望ましい。ターンテーブルクリーナ１の移動方法としては、回動のほかにスライドさせる方式などが考えられるが、このような正確な平行移動の必要性や、機構の単純さなどの点から、回動が好適である。
【００３０】
ターンテーブルクリーナ１をクリーニング位置に移動したら、ターンテーブル４を回転させることによってターンテーブルの表面をクリーニングする。ターンテーブル４をクリーニング時に回転させる専用スイッチなどを設けてもよい。クリーニング時のターンテーブル４の回転速度としては、本発明が想定する薄型フレキシブル光ディスクの仕様がＤＶＤと同様であり、もっとも遅い回転速度は線速度一定で外周部を１倍速で記録再生する際の６００ｒｐｍであることから、回転系を考慮すると、角速度一定で６００ｒｐｍが好適である。クリーニング時間は、例えば１０秒程度である。
【００３１】
ターンテーブルクリーナ１は、手動で移動させるようにしても、自動で移動させるようにしてもよい。
【００３２】
手動で移動させる場合、光情報記録再生装置の筐体を開くか、筐体に設けられたメンテナンス用の開口から手を入れてターンテーブルクリーナ１を移動させる。ターンテーブルクリーナ１に手で移動させるためのレバー１０を設ければ、狭いところでの作業が容易になる。また、ターンテーブルクリーナ１が不用意に動いてしまわないように、通常位置およびクリーニング位置において各々クリック感を持たせて移動を規制するような機構を回動軸に設けることが望ましい。このような機構としては、例えば、回動軸の通常位置およびクリーニング位置に対応する２箇所にくぼみを設け、光情報記録再生装置の本体からこのくぼみに嵌る球体をばねによって押し付けるものなどがある。
【００３３】
ターンテーブルクリーナ１を自動で移動させる場合、ターンテーブルクリーナ１を移動する手段を光情報記録再生装置に設ける必要がある。この手段は、例えば、ターンテーブルクリーナ１を回動軸９を中心として回転させるモータである。
【００３４】
クリーニングを行うための専用スイッチなどを光情報記録再生装置に設け、このスイッチをオンにすると、ターンテーブルクリーナ１がクリーニング位置に移動し、次にターンテーブル１が所定の時間回転してクリーニングを行い、その後ターンテーブルクリーナ１が通常位置に戻るようにしてもよい。
【００３５】
また、クリーニングするたびにタイマによって時間を計測し、前回のクリーニングから所定の時間経過すると警告を発する手段を設け、ユーザにターンテーブルのクリーニングを促すようにしてもよい。このような警告を、例えば、光情報記録再生装置に設けられたパイロットランプや液晶画面によって行ってもよいし、光情報記録再生装置に接続された端末などの画面において表示するようにしてもよい。
【００３６】
また、タイマによってクリーニングするたびごとに経過時間を計測し、所定の時間、例えば、１日ごとに、ターンテーブルクリーナが自動的にターンテーブルをクリーニングするようにしてもよい。この際、ターンテーブルに薄型フレキシブル光ディスクが載置されている場合、光情報記録再生装置に設けられたセンサや、光情報記録再生装置に接続されたコンピュータ端末による光情報記録再生装置の制御状況などでこれを感知し、クリーニングを行わないようにすることが必要である。クリーニング間隔を任意に設定できるようにしてもよい。
【００３７】
図３は、このような本発明の光情報記録再生装置による自動クリーニングの手順の一例を説明するフローチャートである。ステップｓ１０１で、ターンテーブルクリーナはターンテーブルを自動的にクリーニングする。ステップｓ１０２で、クリーニングを行ってから経過した時間をタイマによって計測する。ステップｓ１０３で、所定の時間が経過したかどうかを判定し、所定の時間が経過している場合、ステップｓ１０４に進み、所定の時間が経過していない場合、ステップｓ１０３に戻って計測を続ける。ステップｓ１０４で、ターンテーブルに薄型フレキシブル光ディスクが載置されているかどうかを判定し、載置されていない場合、ステップｓ１０１に戻って、ターンテーブルクリーナはターンテーブルを自動的にクリーニングする。
【００３８】
ターンテーブルに薄型フレキシブル光ディスクが載置されている場合、ステップｓ１０５で、警告を発し、ユーザにターンテーブルから薄型フレキシブル光ディスクを除去してクリーニングを行えるようにすることを促す。ステップｓ１０６で、所定の回数警告を行ったかを判定し、行った場合は動作を終了する。まだ所定の回数行っていない場合、ステップｓ１０４に戻り、再度ターンテーブルに薄型フレキシブル光ディスクが載置されているかどうかを判定する。
＜実施例＞
【００３９】
本発明のターンテーブルクリーナの効果を示すため、以下のような試験を行った。再び図１を参照して説明する。ターンテーブル４として、厚さ５００μｍのソーダガラス板製で、外径が１２５ｍｍで、直径１５．０ｍｍの中心孔を設け、中心孔を取り囲むように内周側に直径６ｍｍの貫通孔を８個設けたものを用意した。ターンテーブル４をテスタのスピンドル５にクランパ６を用いて固定し、クリーニング面３に不織布を使用した本発明のターンテーブルクリーナ１を、ターンテーブルクリーナ１のクリーニング面３がターンテーブル４を挟み込んでいない待機位置から、ターンテーブルクリーナ１のクリーニング面３がターンテーブル４を挟み込んでいるクリーニング位置に移動させ、スピンドル５を６００ｒｐｍで回転させ、ターンテーブル４を１０秒間クリーニングした後、スピンドル５の回転を停止させ、ターンテーブルクリーナ１を待機位置に戻した。このようなクリーニング動作を１０回行った。その結果、ターンテーブル４に変形や破損は見られなかった。
＜比較例＞
【００４０】
比較例として、ターンテーブルの片側のみをクリーニングするターンテーブルクリーナで試験した。図４は、このような比較例のターンテーブルクリーナ３１の構成を示す側面図である。ターンテーブルクリーナ３１は、板状部材３２に図１のターンテーブルクリーナ１のクリーニング面３と同様のクリーニング面３３を貼り付けたものである。上記実施例と同じターンテーブル４をテスタのスピンドル５にクランパ６を用いて固定し、ターンテーブル４の表面にターンテーブルクリーナ３１のクリーニング面３３が接触しない待機位置から、ターンテーブル４の表面にターンテーブルクリーナ３１のクリーニング面３３が接触するクリーニング位置に移動させ、スピンドル５を６００ｒｐｍで回転させ、ターンテーブル４を１０秒間クリーニングした後、スピンドル５の回転を停止させ、待機位置に戻した。このようなクリーニング動作を１０回行った。その結果、１０回のクリーニング動作中２回、ターンテーブル４内周部に設けられた貫通孔の間一箇所にひびが入り、ターンテーブル４が破損してしまった。
【００４１】
上記実施例および比較例により、薄型フレキシブル光ディスク用のガラス製で厚さが薄く内周部に貫通孔が設けられたターンテーブルであっても、本発明のターンテーブルクリーナは、ターンテーブルを変形や破損させること無く、確実にターンテーブルをクリーニングできることが実証された。
【産業上の利用可能性】
【００４２】
本発明は、薄型フレキシブル光ディスク用ターンテーブルをクリーニングするターンテーブルクリーナと、このようなターンテーブルクリーナを備える光情報記録再生装置に利用可能である。
【図面の簡単な説明】
【００４３】
【図１】本発明の光情報記録再生装置が備えるターンテーブルクリーナの構成の一例を示す側面図である。
【図２】本発明の光情報記録再生装置の内部構造の一部を示す斜視図である。
【図３】本発明の光情報記録再生装置による自動クリーニングの手順を説明するフローチャートである。
【図４】比較例のターンテーブルクリーナの構成を示す側面図である。
【符号の説明】
【００４４】
１  ターンテーブルクリーナ
２  コの字型部材
３  クリーニング面
４  ターンテーブル
５  スピンドル
６  クランパ
７  カートリッジ
８  光ピックアップ
９  回動軸
１０  レバー
【図１】
2008123593.tif 000003
【図２】
2008123593.tif 000004
【図３】
2008123593.tif 000005
【図４】
2008123593.tif 000006